(57)【要約】      （修正有） 【課題】要介護者等の唾液や痰が漏れ出ることがなく、唾液や痰の吸引力を遮断でき、入院患者（周術期の患者を含む）の口腔ケアに最適な口腔保清用具を提供する。【解決手段】本体１０内にて長手方向に延び、伸縮弾性の部分を有する中空管路１１と、本体先端の先端連結部１０Ａと、先端連結部に連結され、中空管路に連通される中空通路１５Ｃを有し、中空通路に吸気孔１５Ｄが形成された透光性の清掃部材１５と、負圧源からのチューブが連結可能な後端連結部１９と、グリップ部に設けられ、中空管路の伸縮弾性の部分をその気密性を保持しつつ押し込んで中空管路の断面積を減少させ、反発弾性によって元の位置に押し戻される棒状の押し具１４と、押し具の下方を受ける受け部１２と、立体角度１５−３５°の照射角度でもって清掃部材の先端及び前方と口腔ケアを行う箇所を照明する照明灯１７と、照明灯具の電源と、を備える。【選択図】図１
0003222309.tif 000002
【実用新案登録請求の範囲】
【請求項１】
片手で把持し得る大きさのグリップ部が設けられた中空棒状の本体（１０）と、
該本体（１０）内に長手方向に延びて配設され、長手方向の少なくとも一部の断面上半部に伸縮弾性の部分が設けられた中空管路（１１）と、
上記本体（１０）先端に設けられた先端連結部（１０Ａ）と、
該先端連結部（１０Ａ）に連結され、上記中空管路（１１）に連通される中空通路（１５Ｃ，２０Ｂ）を有し、該中空通路（１５Ｃ，２０Ｂ）に吸気孔（１５Ｄ、２０Ｄ）が形成され、透光性を有する清掃部材（１５，２０）と、
上記本体（１０）後端に設けられ、上記中空管路（１１）に連通され、負圧源から伸びるチューブが連結可能な後端連結部（１９）と、
上記グリップ部（１３）に指で押込み可能に設けられ、上記中空管路（１１）の伸縮弾性の部分の気密性を保持しつつ該伸縮弾性の部分を押し込んで弾性変形させることによって上記中空管路（１１）の断面積を減少させる一方、上記中空管路（１１）の伸縮弾性の部分の反発弾性によって元の位置に押し戻される棒状の押し具（１４）と、
上記本体（１０）内部に設けられ、少なくとも上記中空管路（１１）の上記押し具（１４）の下方の部分を受ける受け部（１２）と、
上記グリップ部（１３）内に前方を指向して内蔵されており、立体角度１５°ないし３５°の範囲内の照射角度を有し、上記清掃部材（１５、２０）の先端及び前方と口腔ケアを行う箇所を照明する照明灯具（１７）と、
該照明灯具（１７）に通電する電源（１８）と、
を備えたことを特徴とする口腔保清用具。
【請求項２】
上記清掃部材（１５）の後端部の外面下半部が断面多角形状となっている一方、本体（１０）の先端連結部（１０Ａ）の内面下半部が断面多角形状となっており、口腔ケアの箇所に応じて清掃部材（１５）の本体（１０）の中心軸線回りの角度を任意に設定できるようになっている請求項１記載の口腔保清用具。
【考案の詳細な説明】
【技術分野】
【０００１】
本考案は口腔保清用具に関し、特に病院において周術期の口腔ケアを行うことができ、又寝たきり老人などの要介護者や要介助者（以下、単に「要介護者」という）の唾液や痰が漏れ出ることがなく、介護者や介助者（以下、単に「介護者」という）が不快に感じることなく要介護者の口腔ケアを行うことができるようにした用具に関する。
【背景技術】
【０００２】
病院において入院患者に対し、口腔ケアを行うことにより、早期離床・早期退院に繋がることが知られている。
また、最近の高齢化社会の急激な進行により、要介護者が増加する傾向にある。かかる状況では老化、鼻孔にチューブを挿通して栄養補給を行うことによる口呼吸、その他の疾病を原因として咀嚼機能が低下し、唾液の分泌量が低下し、又それに伴う口腔の粘膜が乾燥するなどの現象が招来される結果、口腔の自浄作用が極度に低下し、唾液や痰が粘液性を増して口腔粘膜に付着してこびりつき、排出でき難くなる。もっとも、付着して硬くなった唾液や痰はジェルを用いて軟らかくして除去することも可能であるが、煩わしい。
【０００３】
また、舌苔もたまりやすく、硬口蓋や歯肉・唇・頬移行部には食物残渣が残りやすくなる。
さらには、脳血管障害などによって麻痺が残る患者も多く、手足が不自由になるとともに、摂食嚥下障害もみられ、麻痺による歯・口腔の清掃不足や口腔諸機能の低下に伴い、舌や頬など咀嚼筋群活動も低下して食物が口腔前庭に残りやすく、口腔衛生状態も非常に悪くなる。
【０００４】
従来、多くの病院や介護施設では歯科衛生士（ＤＨ）などの介護者が歯ブラシとスポンジブラシ（スワブ）、唾液などの吸引チューブを使分け、要介護者や要介助者に対して口腔ケアを行なっているが、用具を使い分けて口腔ケアを行うのは作業の効率が悪く、しかも介護者の身体的な負担が大きかった。
【０００５】
これに対し、内部に中空路を有する棒体の先端にスポンジブラシ又は歯ブラシを設けるとともに、ブラシの先端部に吸引口を形成し、棒体にグリップを形成するとともに、グリップの後端にチューブの接続パイプを設けて真空ポンプ（負圧源）から伸びるチューブを接続し、１つの用具でブラッシングと吸引による口腔ケアを行って口腔に清潔に保つようにした口腔保清用具が提案されている（特許文献１、特許文献２）。
【０００６】
ところで、要介護者の体調や口腔の状況に応じて吸引力を調整することが必要となることがある。
特許文献１、２記載の口腔保清用具ではグリップ内の中空路に連通する分岐路を形成して分岐路を大気に開口させ、分岐路開口の大きさを指で変化させて吸引力を調整する方式が提案されている。
【０００７】
ところで、要介護者の唾液や痰にはウイルスや細菌等で汚染されていることがあり、薄いゴム製手袋を着用して口腔ケアを行い、介護者がウィルス等に感染するのを防止するようにしている。
【先行技術文献】
【特許文献】
【０００８】
【特許文献１】特開２０１１−１６０８３９号公報
【特許文献２】特開２０１８−７９０５１号公報
【考案の開示】
【考案が解決しようとする課題】
【０００９】
しかし、特許文献１、２記載の口腔保清用具では指で分岐路開口の大きさを変化させて吸引力を調整するようにしているので、分岐路開口から指をずらして吸引力を調整しているときに吸引力か変動して分岐路開口から要介護者の唾液や痰が漏れ出ることがあり、薄いゴム製手袋でウィルス等の感染は防止できるものの、看護者が漏れ出た唾液や痰を不快に感じ、心理的な負担が懸念されていた。
また、指で分岐路開口の大きさを変化させて吸引力を調整するようにしているので、例えば口腔ケアの途中で要介護者の舌を吸い込んでしまって吸引を完全に停止したい場合に分岐路開口から指を離しても吸引力をゼロにすることはできない。
【００１０】
本考案はかかる問題点に鑑み、要介護者の唾液や痰が漏れ出ることがなく、介護者が要介護者の唾液や痰を不快に感じることなく口腔ケアを十分に行うことができ、しかも必要に応じて吸引力を遮断できるようにした口腔保清用具を提供することを課題とする。
【課題を解決するための手段】
【００１１】
そこで、本考案に係る口腔保清用具は、片手で把持し得る大きさのグリップ部が設けられた中空棒状の本体と、該本体内に長手方向に延びて配設され、長手方向の少なくとも一部の断面上半部に伸縮弾性の部分が設けられた中空管路と、上記本体先端に設けられた先端連結部と、該先端連結部に連結され、上記中空管路に連通される中空通路を有し、該中空通路に吸気孔が形成され、透光性を有する清掃部材と、上記本体後端に設けられ、上記中空管路に連通され、負圧源から伸びるチューブが連結可能な後端連結部と、上記グリップ部に指で押込み可能に設けられ、上記中空管路の伸縮弾性の部分の気密性を保持しつつ該伸縮弾性の部分を押し込んで弾性変形させることによって上記中空管路の断面積を減少させる一方、上記中空管路の伸縮弾性の部分の反発弾性によって元の位置に押し戻される棒状の押し具と、上記本体内部に設けられ、少なくとも上記中空管路の上記押し具の下方の部分を受ける受け部と、上記グリップ部内に前方を指向して内蔵されており、立体角度１５°ないし３５°の範囲内の照射角度を有し、上記清掃部材の先端及び前方と口腔ケアを行う箇所を照明する照明灯具と、該照明灯具に通電する電源と、を備えたことを特徴とする。
【００１２】
本考案の特徴の１つは中空棒状の本体内に中空管路を設け、中空管路の伸縮弾性の部分を受け部で受けながら本体クリップ部の押し具を直接的に又は間接的に指で押込み、中空管路の断面積を減少させる一方、押し具の押し込みを弛めることによって断面積を復元させ、吸引力を調整するようにした点にある。
【００１３】
これにより、吸引力を調整している際に中空管路の気密性を保持でき、要介護者の唾液や痰が漏れ出ることがなく、介護者が要介護者の唾液や痰を不快に感じることなく口腔ケアを十分に行うことができる。
【００１４】
また、押し具の押し込みによって吸引力を調整しているので、押し具によって中空管路の断面積をゼロにすることが可能となり、口腔ケアの際に必要に応じて吸引力を遮断することが可能となる。
【００１５】
また、清掃部材に吸気孔を設けて口腔に残った食物残渣、増粘した唾液、咽頭にからんだ痰、あるいは硬口蓋や下顎歯肉・唇・頬移行部の粘膜に粘着残存した義歯安定剤などを口腔外に取り出せる。
【００１６】
これにより、口腔ケアの機能を集約一体化して効率的な保清の作業ができ、しかも口腔を明るく照明できるので、歯科衛生士などにとっても、又口腔ケアを受ける要介護者などにとっても安全で、安心な口腔ケアを行うことができる。その結果、高齢者の死亡原因のトップを占める誤嚥性肺炎や不顕性肺炎を予防し、加療及び入院時間を短くすることが期待できる。
【００１７】
清掃部材を交換可能としてもよいが、標準予防策に基づいた感染対策の重要性を考慮すると、全体を破棄するディスポーザブルな構造とし、口腔ケアを受ける者に対して感染予防を確保するのが好ましい。
【００１８】
また、本体内に照明灯、例えばＬＥＤ灯を前方を指向させて内蔵するとともに、照明灯に通電する電源、例えば電池を内蔵し、照明灯の照射角度を立体角度１５°ないし３５°の範囲内、好ましくは２０°ないし２５°の範囲内の照射角度となし、清掃部材の先端及び前方、口腔ケアを行っている箇所を照明するのがよい。
【００１９】
さらに、清掃部材を透光性の材料、例えば透明な材料や半透明な材料で製作すると、照明光を遮ることが少なく、口腔ケアを行う箇所を明るく照明できる。
【００２０】
ディスポーザブルな構造を採用する場合、電源、例えば電池には注水によって起電時間をコントロールできる水電池、あるいはバイオ電池を採用することもできる一方、繰り返し使用可能な充電方式の電池を採用することもできる。
【図面の簡単な説明】
【００２１】
【図１】本考案の口腔保清用具の好ましい実施形態を示す断面構成図である。
【図２】図１の要部拡大図である。
【図３】上記実施形態におけるスポンジブラシを示す図である。
【図４】上記実施形態における歯ブラシの後端部の形状を示す図である。
【考案を実施するための形態】
【００２２】
以下、本考案を図面に示す具体例に基づいて詳細に説明する。図１ないし図４は本考案に係る口腔保清用具の好ましい実施形態を示す。図において、本体１０は両端が開口された中空棒状をなして用具の基本骨格を構成し、本体１０内には中空管路１１が長手方向に延びて内蔵され、中空管路１１はシリコンゴムなどの伸縮弾性を有する材料によってチューブ状に製作され、又中空管路１１の中央部分はリブ１２によって下方から受けられ、中空管路１１の両端は開放されている。
なお、リブ１２に代え、円管の半部によって中空管路１１の下側を受けるようにしてもよい。また、中空管路１１はプラスチック材料や金属材料でほぼ全体を製作し、その途中を伸縮弾性を有するチューブ又はシートで弾性変形し得る部分に構成するようにしてもよい。
【００２３】
本体１０の中央部分にはグリップ部１３が片手で把持し得る大きさに膨らんで形成され、グリップ部１３の中央頂面には凹部１３Ａが形成され、凹部１３Ａの中央には棒状の押し具１４が押込み可能にかつ外方に抜け止めされて設けられている。
なお、押し具１４の下端面は中空管路１１の断面形状の下半部に対応した断面半円形状とし、中空管路１１を完全に押し込めるようにするのがよいが、勿論、中空管路１１の吸引を完全に遮断せず、少しの吸引力が残るように、押し具１４の下端面を平坦面や角錐面とすることもできる。
【００２４】
他方、本体１０の先端開口部には歯ブラシ（清掃部材）１５のアーム１５Ａの後端部１５Ｂが連結可能な先端連結部１０Ａが形成され、先端連結部１０Ａには中空管路１１の先端部が連通して嵌合され、他方、歯ブラシ１５内には中空通路１５Ｃが中空管路１１に連通して形成され、中空通路１５Ｃの歯ブラシ１５の先端及びブラシ中央には吸引孔１５Ｄが形成されて前方及び下方に開放されている一方、歯ブラシ１５は透明な材料で製作されている。
【００２５】
また、グリップ部１３内にはＬＥＤ灯１７及び電池１８が内蔵され、ＬＥＤ灯１７はグリップ部１３の前方を立体角度１５°ないし３５°の範囲内、好ましくは２０°ないし２５°の範囲内の照射角度αで前方を指向し、歯ブラシ１５の先端及び前方、口腔ケアの箇所を照明するようになっている一方、グリップ部１３の下部壁面には凹所が形成されて通電スイッチ１６が設けられている。
なお、電池１８は要介護者の口腔ケアが使い終わったときに用具ととにも廃棄するようにしてもよく、グリップ部１３の下部壁面を着脱可能として電池１８を交換できるようにすることもできる。
【００２６】
本体１０の後端部には吸引チューブの連結パイプ（後端連結部）１９が取付けられ、吸引チューブは各病室に設置された真空ポンプなどの負圧源に接続され、又連結パイプ１９には本体１０内の中空管路１１の後端部が連通して嵌合されている。
【００２７】
また、口腔保清用具は図３に示されるような歯ブラシ１５と交換可能なスポンジブラシ（清掃部材）２０を備え、スポンジブラシ２０は歯ブラシ１５と同様な構造に形成されている。すなわち、スポンジブラシ２０のアーム２０Ａの後端部２０Ｃは本体１０の先端連結部１０Ｃに連結可能に形成され、スポンジブラシ２０のアーム部２０Ａ内には中空通路２０Ｂが本体１０の中空管路１１と連通して形成され、中空通路２０Ｂには吸引孔２０Ｄが形成されてスポンジブラシ２０の前方及び上方・下方に開放されている。
なお、歯ブラシ１５のアーム１５Ａの後端部１５Ｂは図４の（ａ）に示されように、断面円形としてもよいが、図４の（ｂ）に示されるように、外面下半部を断面多角形状とする一方、本体１０の先端連結部１０Ａについても内面下半部を断面多角形状とし、口腔上側や下側のケアの状況に応じて歯ブラシ１５の本体１０の中心軸線回りの角度を任意に設定できるようにしてもよい。
【００２８】
以上のように、本例の口腔保清用具では中空棒状の本体１０内に中空管路１１を設け、中空管路１１の伸縮弾性の部分をリブ１２で受けながら押し具１４を指で押込み、中空管路１１の断面積を減少させ、押し具１４の押し込みを弛めることによって断面積を復元させ、吸引力を調整するようにしたので、口腔ケアの際に中空管路１１の気密性が損なわれることがなく、要介護者の唾液や痰が漏れ出ることがなく、介護者が要介護者の唾液や痰を不快に感じることがない。
【００２９】
また、押し具１４の押し込みによって吸引力を調整しているので、押し具によって中空管路の断面積をゼロにすることが可能となり、口腔ケアの際に必要に応じて吸引力を遮断することが可能となる。
【００３０】
また、口腔ケアの機能を集約一体化して効率的な保清の作業ができ、しかもＬＥＤ灯１７によって口腔を明るく照明できるので、歯科衛生士などにとって的確に口腔ケアを行うことができ、又口腔ケアを受ける要介護者などにとっても安全で、安心な口腔ケアを行うことができる結果、高齢者の死亡原因のトップを占める誤嚥性肺炎や不顕性肺炎を予防し、加療及び入院時間を短くすることができる。
【符号の説明】
【００３１】
１０    本体
１１    中空管路
１２    リブ（受け部）
１３    グリップ部
１３Ａ    凹部
１４    押し具
１５    歯ブラシ（清掃部材）
１９    連結パイプ（後端連結部）
２０    スポンジブラシ（清掃部材）
【図１】
0003222309.tif 000003
【図２】
0003222309.tif 000004
【図３】
0003222309.tif 000005
【図４】
0003222309.tif 000006